(57)【要約】【課題】  受け皿を備えた吐出器付きの容器において、受け皿に貯留した内容物のすくい取り性を向上すること。【解決手段】  吐出口３３の周辺に吐出された内容物を貯留するための受け皿３２を備えた吐出器付きの容器１０であって、吐出器３０が、吐出口３３に内容物が吐出する方向を変える障壁部３４Ａを設け、該障壁部３４Ａが吐出時においては受け皿３２の表面より上方に前進し、吐出後にあっては受け皿３２の表面と同じ位置若しくは表面より陥没した位置に後退するもの。【選択図】  図２
2008120443.tif 000002
【特許請求の範囲】
【請求項１】
吐出口の周辺に吐出された内容物を貯留するための受け皿を備えた吐出器付きの容器であって、
吐出器が、吐出口に内容物が吐出する方向を変える障壁部を設け、該障壁部が吐出時においては受け皿表面より上方に前進し、吐出後にあっては受け皿表面と同じ位置若しくは表面より陥没した位置に後退する吐出器付きの容器。
【請求項２】
前記障壁部が非吐出時には吐出口をふさぎ、吐出時には吐出口を開く弁を構成する請求項１に記載の容器。
【請求項３】
前記吐出口が受け皿の下端である中央に設けてある請求項１又は２に記載の容器。
【請求項４】
泡生成機構を備え、前記吐出口より内容物の泡を吐出する請求項１〜３のいずれかに記載の容器。
【請求項５】
内容物を収容する容器本体がエアゾール容器である、請求項１〜３のいずれかに記載の容器。
【請求項６】
内容物吐出機構としてポンプを備える請求項１〜４のいずれかに記載の容器。
【請求項７】
前記受け皿を下方に押すことで内容物が吐出される請求項１〜６のいずれかに記載の容器。
【請求項８】
吐出口の周辺に吐出された内容物を貯留するための受け皿を備えた吐出器であって、
吐出口に内容物が吐出する方向を変える障壁部を設け、該障壁部が吐出時においては受け皿表面より上方に前進し、吐出後にあっては受け皿表面と同じ位置若しくは表面より陥没した位置に後退する吐出器。
【請求項９】
前記障壁部が非吐出時には吐出口をふさぎ、吐出時には吐出口を開く弁を構成する請求項８に記載の吐出器。
【請求項１０】
前記吐出口が受け皿の下端である中央に設けてある請求項８又は９に記載の吐出器。
【請求項１１】
泡生成機構を備え、前記吐出口より内容物の泡を吐出する請求項８〜１０のいずれかに記載の吐出器。
【発明の詳細な説明】
【技術分野】
【０００１】
本発明は泡、クリーム、ジェル、液体等を吐出する吐出器付きの容器に関する。
【背景技術】
【０００２】
容器として、特許文献１に記載の如く、シリンダ部材とピストン部材を備えたポンプ装置を容器口部に取着し、ポンプ装置の注出筒に受け皿を取着し、注出筒の頂壁下部に設けた横向き吐出口の周辺に吐出される内容液を受け皿に貯留し、この内容液をスポンジ等の塗布用具によりすくい取って用に供するものがある。
【特許文献１】特開平11-240557
【発明の開示】
【発明が解決しようとする課題】
【０００３】
特許文献１の容器では、受け皿の表面の上方に、注出筒の頂壁が常時突出している。このため、受け皿に貯留した内容液をスポンジ等ですくい取ろうとするとき、スポンジ等が注出筒の頂壁に引っかかり、使い勝手が悪い。
【０００４】
本発明の課題は、受け皿を備えた吐出器付きの容器において、受け皿に貯留した内容物のすくい取り性を向上することにある。
【課題を解決するための手段】
【０００５】
請求項１の発明は、吐出口の周辺に吐出された内容物を貯留するための受け皿を備えた吐出器付きの容器であって、吐出器が、吐出口に内容物が吐出する方向を変える障壁部を設け、該障壁部が吐出時においては受け皿表面より上方に前進し、吐出後にあっては受け皿表面と同じ位置若しくは表面より陥没した位置に後退するようにしたものである。
【０００６】
尚、本明細書において「貯留」とは、時間の長短によらず、内容物をある場所に保持することをいい、吐出後直ちに内容物を使用する場合若しくは時間を経てから使用する場合のいずれをも含む。
【発明を実施するための最良の形態】
【０００７】
（実施例１）（図１〜図３）
(a)図１のエアゾール容器１０は、内容物を封入した容器本体１１にエアゾールバルブ２０を設ける。エアゾールバルブ２０は、容器本体１１の上端開口部にシール部材を介してマウンティングカップ２１を取付け、マウティングカップ２１の内部に噴射バルブ（不図示）を設ける。噴射バルブは、ハウジング（不図示）と、ハウジングに設けられて連通孔を備えるステム２２と、ステム２２を外方へ付勢するスプリング（不図示）と、ステム２２の外周に嵌装されてスプリングによりマウンティングカップ２１に押圧されるステムラバー（不図示）とから構成される。エアゾールバルブ２０は、ステム２１が原位置から押下されるとき、ステム２２の連通孔からフォーム状（泡状）の内容物を噴出する。内容物の処方を表1に示す。内容物の処方に応じて噴出されるときの状態を変えることができ、例えば液状、ジェル状などにもすることができる。
【０００８】
【表１】
2008120443.tif 000003
【０００９】
エアゾール容器１０は、吐出器３０を有する。吐出器３０は、図２、図３に示す如く、エアゾールバルブ２０のステム２２に取着される結合部３１と、結合部３１に取着される受け皿３２と、受け皿３２の吐出口３３に設けられる弁３４と、マウンティングカップ２１の外周に取着される受け皿カバー３５を有する。
【００１０】
結合部３１は、エアゾールバルブ２０のステム２２に嵌合して取着される小径嵌合部３１Ａを下端に備えるとともに、受け皿３２の弁箱３２Ａが嵌合して取着される大径嵌合部３１Ｂを上端に備え、ステム２２の連通孔に連通する中空部に流路３１Ｃを備える。
【００１１】
受け皿３２は、外周縁が高い、上方に向けて凹状をなし、下端である中央に吐出口３３を開口している。受け皿３２は、吐出口３３を囲む裏面に筒状の弁箱３２Ａを突設し、この弁箱３２Ａを結合部３１の大径嵌合部３１Ｂに嵌合して取着する。受け皿３２は、弁箱３２Ａに対する外周側の裏面に筒状のスカート部３２Ｂを突設し、このスカート３２Ｂを受け皿カバー３５の内周に嵌合して上下に摺動ガイドされる。受け皿３２は、使用者の片手がその表面を下方へ押すと、受け皿カバー３５によりスカート部３２Ｂがガイドされて原位置から下方向移動し、結合部３１を介してステム２２を押下するものになる。
【００１２】
弁３４は、受け皿３２の弁箱３２Ａに内蔵され、受け皿３２の吐出口３３を開閉する障壁部３４Ａと、障壁部３４Ａの下部に連結されて結合部３１の流路３１Ｃの開口周辺に接離するばね受３４Ｂを備える。ばね受３４Ｂの外周の複数位置に切欠流路３４Ｃを備える。受け皿３２の弁箱３２Ａ内で、受け皿３２の裏面とばね受３４Ｂの間に、ばね３６が介装される。ばね３６によりばね受３４Ｂが結合部３１の流路３１Ｃの開口周辺に着座されるとき、障壁部３４Ａは受け皿３２の吐出口３３を閉鎖する。受け皿３２が使用者により下方へ押され、ステム２２が前述の如くに押下され、ステム２２から結合部３１の流路３１Ｃを経て噴出する内容物がばね３６に抗して弁３４のばね受３４Ｂを押上げるとき、障壁部３４Ａは受け皿３２の吐出口３３から突出して該吐出口３３を開き、該吐出口３３から泡状となった内容物を吐出する。
【００１３】
即ち、弁３４の障壁部３４Ａは吐出口３３に設けられて内容物が吐出する勢いを押さえ、方向を変える機能を備える。障壁部３４Ａは、内容物の吐出時には受け皿３２の表面より上方に前進（突出）し（図３）、吐出後にあっては受け皿３２の表面と同じ位置（若しくは表面より陥没した位置）に後退する（図２）。障壁部３４Ａは内容物の非吐出時には吐出口３３をふさぎ、吐出時には吐出口３３を開く弁３４を構成する。
【００１４】
従って、エアゾール容器１０は以下の如くに使用される。
(1)使用者の片手でエアゾールバルブ２０のスプリング力に抗して、受け皿３２の表面を下方へ押す。受け皿３２は、スカート部３２Ｂが受け皿カバー３５にガイドされ原位置から下方向移動し、結合部３１を介してステム２２を原位置から押下する。
【００１５】
(2)ステム２２から結合部３１の流路３１Ｃを経て噴出する内容物がばね３６を抗して弁３４のばね受３４Ｂを押上げるとともに、障壁部３４Ａを受け皿３２の表面から上方に前進させて吐出口３３を開く。これにより、内容物の泡が吐出口３３の全周から障壁部３４Ａの下面にガイドされる、受け皿３２の表面に沿う横方向に向けて放射状に吐出され、吐出口３３の全周の周辺に渡る受け皿３２の表面の広い範囲に分配される。
【００１６】
(3)片手を受け皿３２の表面から離すと、エアゾールバルブ２０のスプリング力によりステム２２が原位置に戻り、受け皿３２も原位置に戻る。同時に、弁３４のばね受３４Ｂがばね３６により押下げられ、障壁部３４Ａが受け皿３２の表面と同じ位置に後退して吐出口３３を閉鎖する。使用者は、受け皿３２の表面の広い範囲に分配されている内容物の泡を、手ですくい取る。尚、手の他に、スポンジ、コットン、パフ、ティッシュ等ですくい取ることもできる。
【００１７】
本実施例によれば以下の作用効果を奏する。
(a)吐出器３０が、吐出口３３に内容物が吐出する勢いを押さえ、方向を変える障壁部３４Ａを設けたから、内容物が吐出の勢いで上方等に噴出するのを防止でき、貯留部全体に広げることができる。
【００１８】
(b)障壁部３４Ａは内容物の吐出後に、受け皿３２の表面と同じ位置（若しくは表面より陥没した位置）に後退する。従って、受け皿３２に貯留した内容物を手又は塗布用具等ですくい取ろうとするとき、手又は塗布用具等が障壁部３４Ａと干渉せず、全ての内容物をすくい取ることができ、使い勝手が良い。
【００１９】
(c)障壁部３４Ａが非吐出時には吐出口３３をふさぎ、吐出時には吐出口３３を開く弁３４を構成する。従って、非吐出時に、吐出口３３への異物の侵入を防止できるし、吐出口３３の内部に残存する内容物が外気に触れることによる乾燥固化等を防止できる。
【００２０】
(d)吐出口３３が受け皿３２の下端である中央に設けられるから、内容物を受け皿３２の中央から広い範囲に貯留できる。
【００２１】
(e)吐出口３３より泡状となった内容物を吐出する。従って、使用者は受け皿３２に貯留させた内容物の泡を視認し、楽しみながら利用できる。
【００２２】
(f)内容物を収容する容器本体１１がエアゾール容器１０であるようにしたから、エアゾール容器１０のステム２２に吐出器３０を設け、ステム２２を押動することにより噴射剤（液化プロパンガス）の圧力で内容物を吐出口３３から吐出できる。
【００２３】
(g)片手で受け皿３２を下方に押すことで吐出される内容物を受け皿３２に貯留でき、この片手で受け皿３２上の内容物をすくい取りできる。
【００２４】
（実施例２）（図４、図５）
実施例２のエアゾール容器１０Ａが実施例１のエアゾール容器１０と異なる点は、吐出器３０に代わる吐出器４０を用いたことにある。
【００２５】
吐出器４０は、図４、図５に示す如く、エアゾールバルブ２０のステム２２に取着される結合部４１と、結合部４１に取着される受け皿４２と、受け皿４２の吐出口４３に設けられる弁４４と、マウンティングカップ２１の外周に取着される受け皿カバー４５を有する。
【００２６】
結合部４１は、エアゾールバルブ２０のステム２２に嵌合して取着される小径嵌合部４１Ａを下端に備えるとともに、受け皿４２の弁箱４２Ａが嵌合して取着される大径嵌合部４１Ｂを上端に備え、ステム２２の連通孔に連通する中空部に設けられる流路４１Ｃを備える。
【００２７】
受け皿４２は、外周縁が高い、上方に向けて凹状をなし、下端である中央に吐出口４３を開口している。受け皿４２は、吐出口４３を囲む裏面に筒状の弁箱４２Ａを突設し、この弁箱４２Ａを結合部４１の大径嵌合部４１Ｂに嵌合して取着する。受け皿４２は、弁箱４２Ａに対する外周側の裏面に筒状のスカート部４２Ｂを突設し、このスカート４２Ｂを受け皿カバー４５の内周に嵌合して上下に摺動ガイドされる。受け皿４２は、使用者の片手がその表面を下方へ押すと、受け皿カバー４５によりスカート部４２Ｂがガイドされて原位置から下方向移動し、結合部４１を介してステム２２を押下するものになる。
【００２８】
弁４４は、結合部４１の上端部に取着されて受け皿４２の弁箱４２Ａに内蔵され、ゴム板等の弾性材料からなる障壁部４４Ａにより受け皿４２の吐出口４３を開閉する。弁４４の障壁部４４Ａは、自由状態で、その自己閉鎖習性により、受け皿４２の吐出口４３を閉鎖する。受け皿４２が使用者により下方へ押され、ステム２２が前述の如くに押下され、ステム２２から結合部４１の流路４１Ｃを経て噴出する内容物が結合部４１の流路４１Ｄから弁箱４２Ａに流出すると、この内容物の圧力により障壁部４４Ａの外周側縁部が受け皿４２の吐出口４３から外方に開いて該吐出口４３を開き、該吐出口４３から泡状となった内容物を吐出する。
【００２９】
即ち、弁４４の障壁部４４Ａは吐出口４３に設けられて内容物が吐出する勢いを押さえ、泡を受け皿全体に広げる。障壁部４４Ａは、内容物の吐出時には受け皿４２の表面より上方に前進（突出）し（図５）、吐出後にあっては受け皿４２の表面と同じ位置（若しくは表面より陥没した位置）に後退する（図４）。障壁部４４Ａは内容物の非吐出時には吐出口４３をふさぎ、吐出時には吐出口４３を開く弁４４を構成する。
【００３０】
従って、エアゾール容器１０Ａは以下の如くに使用される。
(1)使用者の片手でエアゾールバルブ２０のスプリング力に抗して、受け皿４２の表面を下方へ押す。受け皿４２は、スカート部４２Ｂが受け皿カバー４５にガイドされ原位置から下方向移動し、結合部４１を介してステム２２を原位置から押下する。
【００３１】
(2)ステム２２から結合部４１の流路４１Ｃを経て噴出する内容物が障壁部４４Ａを受け皿４２の表面から上方に前進させて吐出口４３を開く。これにより、内容物の泡が吐出口４３の全周から障壁部４４Ａの下面にガイドされる、受け皿４２の表面に沿う横方向に向けて放射状に吐出され、吐出口４３の全周の周辺に渡る受け皿４２の表面の広い範囲に分配される。
【００３２】
(3)片手を受け皿４２の表面から離すと、エアゾールバルブ２０のスプリング力によりステム２２が原位置に戻り、受け皿４２も原位置に戻る。同時に、障壁部４４Ａがその自己閉鎖習性により受け皿４２の表面と同じ位置に後退して吐出口４３を閉鎖する。使用者は、受け皿４２の表面の広い範囲に分配されている内容物の泡を、手ですくい取る。尚、手の他に、スポンジ、コットン、パフ、ティッシュ等ですくい取ることもできる。
【００３３】
本実施例によれば以下の作用効果を奏する。
(a)吐出器４０が、吐出口４３に内容物が吐出する勢いを押さえ、方向を変える障壁部４４Ａを設けたから、内容物が吐出の勢いで上方等に噴出するのを防止でき、受け皿４２の表面の広い範囲に分配される。
【００３４】
(b)障壁部４４Ａは内容物の吐出後に、受け皿４２の表面と同じ位置（若しくは表面より陥没した位置）に後退する。従って、受け皿４２に貯留した内容物を手又は塗布用具等ですくい取ろうとするとき、手又は塗布用具等が障壁部４４Ａと干渉せず、全ての内容物をすくい取ることができ、使い勝手が良い。
【００３５】
(c)障壁部４４Ａが、非吐出時には吐出口４３をふさぎ吐出時には吐出口４３を開く弁４４を構成する。従って、非吐出時に、吐出口４３への異物の侵入を防止できるし、吐出口４３の内部に残存する内容物が外気に触れることによる乾燥固化等を防止できる。
【００３６】
(d)吐出口４３が受け皿４２の下端である中央に設けられるから、内容物を受け皿４２の中央から広い範囲に貯留できる。
【００３７】
(e)吐出口４３より泡状となった内容物を吐出する。従って、使用者は受け皿４２に貯留させた内容物の泡を視認し、楽しみながら利用できる。
【００３８】
(f)内容物を収容する容器本体１１がエアゾール容器１０Ａであるようにしたから、エアゾール容器１０Ａのステム２２に吐出器４０を設け、ステム２２を押動することにより噴射剤（液化プロパンガス、炭酸ガス、ＤＭＥ等）の圧力で内容物を吐出口４３から吐出できる。
【００３９】
(g)片手で受け皿４２を下方に押すことで吐出される内容物を受け皿４２に貯留でき、この片手で受け皿４２上の内容物をすくい取りできる。
【００４０】
（実施例３）（図６、図７）
シリンダ部材５１とピストン部材５２からなる内容物吐出機構（ポンプ）を備えたポンプ装置５０を容器口部６１に取着し、ポンプ装置５０の注出筒５３に吐出器３０を備える容器６０に本発明を適用したものを図６、図７に示す。吐出器３０の流路には、泡生成用メッシュ７１Ａ、７１Ｂを備えた泡生成機構７０を設けてある。受け皿３２を押すとポンプ装置５０が動作し、弁３４に圧力が加わり、内容物の泡が吐出口３３から吐出される（図６）。受け皿３２に加えていた押圧を解除すると、弁３４が閉じるとともに、泡が乗った状態の受け皿３２が上昇する（図７）。
【図面の簡単な説明】
【００４１】
【図１】図１は実施例１の容器を示す模式斜視図である。
【図２】図２は容器の非吐出状態を示す模式断面図である。
【図３】図３は容器の吐出状態を示す模式断面図である。
【図４】図４は実施例２の容器の非吐出状態を示す模式断面図である。
【図５】図５は容器の吐出状態を示す模式断面図である。
【図６】図６は実施例３の容器の吐出状態を示す模式断面図である。
【図７】図７は容器の非吐出状態を示す模式断面図である。
【符号の説明】
【００４２】
１０、１０Ａ  エアゾール容器
１１  容器本体
３０、４０  吐出器
３１、４１  結合部
３１Ｃ、４１Ｃ  流路
３２、４２  受け皿
３３、４３  吐出口
３４、４４  弁
３４Ａ、４４Ａ  障壁部
【図１】
2008120443.tif 000004
【図２】
2008120443.tif 000005
【図３】
2008120443.tif 000006
【図４】
2008120443.tif 000007
【図５】
2008120443.tif 000008
【図６】
2008120443.tif 000009
【図７】
2008120443.tif 000010